(57)【要約】【課題】  ディスプレイ装置の駆動方法とその装置を提供する。【解決手段】  列に配列された複数の画素を含むディスプレイ装置の駆動方法であって、フレーム周期の第１周期の間、画素のＮthと（Ｎ＋Ｋ）th列を順次にスキャンし、第１極性の信号を前記スキャンされた画素のＮthと（Ｎ＋Ｋ）th列に順次に提供するステップ、およびフレーム周期の第２周期の間、画素の（Ｎ＋１）thと（Ｎ＋Ｋ＋１）th列を順次にスキャンし、第２極性の信号を前記スキャンされた画素の（Ｎ＋１）thと（Ｎ＋Ｋ＋１）th列に順次に提供するステップを含み、ＮとＫは、両方とも整数であり、Ｎは、０より大きく、Ｋは、１より大きい偶数である方法。【選択図】      図５Ａ
2007086744.tif 000002
【特許請求の範囲】
【請求項１】
列に配列された複数の画素を含むディスプレイ装置の駆動方法であって、
フレーム周期の第１周期の間、画素のＮthと（Ｎ＋Ｋ）th列を順次にスキャンし、第１極性の信号を前記スキャンされた画素のＮthと（Ｎ＋Ｋ）th列に順次に提供するステップ、および
フレーム周期の第２周期の間、画素の（Ｎ＋１）thと（Ｎ＋Ｋ＋１）th列を順次にスキャンし、第２極性の信号を前記スキャンされた画素の（Ｎ＋１）thと（Ｎ＋Ｋ＋１）th列に順次に提供するステップを含み、ＮとＫは、両方とも整数であり、Ｎは、０より大きく、Ｋは、１より大きい偶数である方法。
【請求項２】
前記第１極性は、前記第１周期の間、共通電圧ＶＣＯＭに対して負電圧レベルであり、前記第２極性は、前期第２周期の間、前記共通電圧ＶＣＯＭに対して正電圧レベルである請求項１に記載の方法。
【請求項３】
前記共通電圧は、前記第１周期の間、正電圧レベルを保持し、前記第２周期の間、負電圧レベルを保持する請求項２に記載の方法。
【請求項４】
前記第１周期の間、画素の（Ｎ＋２Ｋ）th列は、画素の（Ｎ＋Ｋ）th列の後にスキャンされ、前記第２周期の間、画素の（Ｎ＋２Ｋ＋１）th列は、画素の（Ｎ＋Ｋ＋１）th列の後にスキャンされる請求項２に記載の方法。
【請求項５】
列に配列された複数の画素を含むディスプレイ装置の駆動方法であって、  
フレーム周期の第１周期の間、画素の奇数列を順次にスキャンし、第１極性の信号を前記スキャンされた画素の奇数列に順次に提供するステップ、および
フレーム周期の第２周期の間、画素の偶数列を順次にスキャンし、第２極性の信号を前記スキャンされた画素の偶数列に順次に提供するステップを含む方法。
【請求項６】
前記第１極性は、前記第１周期の間、共通電圧ＶＣＯＭに対して負電圧レベルであり、前記第２極性は、前期第２周期の間、前記共通電圧ＶＣＯＭに対して正電圧レベルである請求項５に記載の方法。
【請求項７】
前記共通電圧は、前記第１周期の間、正電圧レベルを保持し、前記第２周期の間、負電圧レベルを保持する請求項６に記載の方法。
【請求項８】
列と行に配列された複数の画素を含む表示素子、
複数の平行したゲートラインを含み、各ゲートラインは、対応する画素列に接続され、フレーム周期の第１周期の間、画素の第１列と第２列を順次にスキャンし、フレーム周期の第２周期の間、画素の第３列と第４列をスキャンし、画素の第１と第２列は、互いに隣接せず、画素の第３と第４列も互いに隣接しないゲートドライバ、および
複数の平行したデータラインを含み、前記ゲートラインにそれぞれ直交し、対応する画素列に接続され、前記第１周期の間、第１極性の信号を前記スキャンされた画素列に順次に提供し、前記第２周期の間、第２極性の信号を前記スキャンされた画素列に順次に提供するデータドライバ
を含む装置。
【請求項９】
前記ゲートドライバは、前記第１周期の間、画素のＮthと（Ｎ＋Ｋ）th列を順次にスキャンし、前記第２周期の間、画素の（Ｎ＋１）thと（Ｎ＋Ｋ＋１）th列を順次にスキャンし、ＮとＫは、両方とも整数であり、Ｎは、０より大きく、Ｋは、１より大きい偶数である請求項８に記載の装置。
【請求項１０】
前記ゲートドライバは、前記第１周期の間、画素の（Ｎ＋Ｋ）th列の後に画素の（Ｎ＋２Ｋ）th列を更にスキャンし、前記第２周期の間、画素の（Ｎ＋Ｋ＋１）th列の後に画素の（Ｎ＋２Ｋ＋１）th列を更にスキャンする請求項９に記載の装置。
【請求項１１】
前記ゲートドライバは、
前記第１周期の間、画素の奇数列をスキャンし、前記第２周期の間、画素の偶数列をスキャンする請求項８に記載の装置。
【請求項１２】
前記第１極性は、前記第１周期の間、共通電圧ＶＣＯＭに対して負電圧レベルであり、前記第２極性は、前期第２周期の間、前記共通電圧ＶＣＯＭに対して正電圧レベルである請求項８に記載の装置。
【請求項１３】
前記共通電圧は、前記第１周期の間、正電圧レベルに保持し、前記第２周期の間、負電圧レベルに保持する請求項１２に記載の装置。
【請求項１４】
前記表示素子は、ＬＣＤ素子である請求項８に記載の装置。
【請求項１５】
前記ゲートドライバのスキャンと前記データドライバの信号供給を制御するコントローラを更に含む請求項８に記載の装置。
【請求項１６】
前記表示素子、前記ゲートドライバ及び前記データドライバは、ディスプレイ装置に内蔵され、
前記ディスプレイ装置に接続されるＤＣ／ＤＣコンバータを更に含み、前記ディスプレイ装置は、前記ＤＣ/ＤＣコンバータによって電力供給される請求項８に記載の装置。
【請求項１７】
前記表示素子、前記ゲートドライバ、前記データドライバは、ディスプレイ装置に内蔵され、且つ、
前記ディスプレイ装置に電力供給をする供給装置を更に含む請求項８に記載の装置。
【請求項１８】
前記電子装置は、ＰＤＡ、ディスプレイモニタ装置、ノート型パソコン、携帯用コンピュータ、または携帯電話である請求項１５に記載の電子装置。
【請求項１９】
フレーム周期の第１周期の間、画素の奇数列を順次スキャンし、第１極性の信号を前記スキャンされた画素の奇数列に順次に提供する装置、および
フレーム周期の第２周期の間、画素の偶数列を順次スキャンし、第２極性の信号を前記スキャンされた画素の偶数列に順次に提供する装置を含む装置。
【請求項２０】
前記スキャンをする装置に電力供給をする装置を更に含む請求項１９に記載の装置。
【発明の詳細な説明】
【技術分野】
【０００１】
本発明は、例えば、液晶ディスプレイ装置（ＬＣＤ）のディスプレイ装置の駆動方法に関するものである。
【背景技術】
【０００２】
高解析度、マルチカラー表示、低消費電力、低電圧の要求と、軽量薄型が液晶ディスプレイ（ＬＣＤ）を主要のディスプレイ装置技術にさせている。ＬＣＤは、ここ数年、例えばＰＤＡ、携帯用コンピュータ、携帯電話など携帯型の情報ディスプレイとして用いられている。
【０００３】
ＬＣＤでは、電場が同じ方向で持続的に液晶材料に供給された場合、液晶材料が劣化する可能性がある。よって、電場が供給される方向は、定期的に変えられなければならない。即ち、画素電極の電圧（データ信号）は、通常、正値と負値の間で交互に入れ替わる。このような電極の電圧値の切換えは、反転駆動と言われている。一般的に、反転駆動の方法は、ドット反転、列反転、行反転を含む。
【０００４】
図１は、従来のＬＣＤパネル回路の一部の概略図である。図に示すように、回路は、データラインＤｎ−１、Ｄｎと、Ｄｎ＋１、スキャンラインＧｍ−１、Ｇｍと、Ｇｍ＋１と、対応する表示ユニットＰＬを含む。図２Ａは、ライン反転の形式の表示ユニットによって受信されたデータ信号の極性の概略図である。図に示すように、左側は、データラインＤｎ−１、Ｄｎと、Ｄｎ＋１と、スキャンラインＧｍ−１、Ｇｍと、Ｇｍ＋１で定義されたパネルの表示ユニットによって受けられたデータ信号の極性を有する奇数フレームであり、右側は、データラインＤｎ−１、Ｄｎと、Ｄｎ＋１と、スキャンラインＧｍ−１、Ｇｍと、Ｇｍ＋１で定義されたパネルの表示ユニットによって受信されたデータ信号の極性を有する奇数フレームである。同じ列の表示ユニット（例えば、Ｇｍ）は、同じ極性のデータ信号を受信し、２つの隣接する列の表示ユニット（例えば、Ｇｍ−１、Ｇｍと、Ｇｍ＋１）は、反対の極性のデータ信号を受ける。
【０００５】
図３Ａは、ライン反転駆動を用いた図２Ａの回路のタイミング図である。時間周期ＰＤ１の間に、スキャンラインＧｍ−１が駆動され、データラインＤｎ−１、Ｄｎと、Ｄｎ＋１の正極性のデータ信号ＤＳは、対応する表示ユニットにそれぞれ接続される。この時、共通電圧の極性は、負である。時間周期ＰＤ２の間、スキャンラインＧｍが駆動され、データラインＤｎ−１、Ｄｎと、Ｄｎ＋１の負極性のデータ信号ＤＳは、対応する表示ユニットにそれぞれ接続される。時間周期ＰＤ２では、共通電圧の極性は、正である。時間周期ＰＤ３の間、スキャンラインＧｍ＋１が駆動され、データラインＤｎ−１、Ｄｎと、Ｄｎ＋１の正極性のデータ信号ＤＳは、対応する表示ユニットにそれぞれ接続される。この時間周期では、共通電圧の極性は、負である。即ち、各スキャンラインが駆動された時、データ信号ＤＳと共通電圧Ｖｃｏｍの極性は１度、切り換わる。しかし、データ信号ＤＳの極性の切換え周波数がスキャンラインのスキャン周波数と等しいことから、消費電力が高い。
【０００６】
図２Ｂは、Ｎライン反転の形式の表示ユニットによって受信されたデータ信号の極性の概略図である。図３Ｂは、Ｎライン反転の駆動方法を用いた図２Ｂの回路のタイミング図である。時間周期ＰＤ１の間、スキャンラインＧｍ−１が駆動され、データラインＤｎ−１、Ｄｎと、Ｄｎ＋１の正極性のデータ信号ＤＳは、対応する表示ユニットにそれぞれ接続される。時間周期ＰＤ２の間、スキャンラインＧｍが駆動され、データラインＤｎ−１、Ｄｎと、Ｄｎ＋１の正極性のデータ信号ＤＳは、対応する表示ユニットにそれぞれ接続される。時間周期ＰＤ１と、ＰＤ２では、共通電圧ＶＣＯＭの極性は、負である。時間周期ＰＤ３の間、スキャンラインＧｍ＋１が駆動され、データラインＤｎ−１、Ｄｎと、Ｄｎ＋１の負極性のデータ信号ＤＳは、対応する表示ユニットにそれぞれ接続される。この時、共通電圧の極性は、正である。即ち、各スキャンラインが交互に駆動された時、データ信号ＤＳと共通電圧Ｖｃｏｍの極性は１度、切り換わる。しかし、この方法は、データ信号ＤＳと共通電圧の極性の切換わりが少ないことから、ちらつきが生じる。
【発明の開示】
【発明が解決しようとする課題】
【０００７】
ディスプレイ装置の駆動方法とその装置を提供する。
【課題を解決するための手段】
【０００８】
本発明の駆動方法の実施例は、列に配列された画素を含む表示パネルを含む。この方法では、フレーム周期の第１周期の間、画素のＮthと（Ｎ＋Ｋ）th列は、順次にスキャンされ、第１極性の信号がスキャンされた画素のＮthと（Ｎ＋Ｋ）th列に順次に提供される。フレーム周期の第２周期の間、画素の（Ｎ＋１）thと（Ｎ＋Ｋ＋１）th列は、順次にスキャンされ、第２極性の信号がスキャンされた画素の（Ｎ＋１）thと（Ｎ＋Ｋ＋１）th列に順次に提供される。ＮとＫは、両方とも整数であり、Ｎは、０より大きく、Ｋは、１より大きい偶数である。
【０００９】
本発明の装置の実施例は、表示素子、ゲートドライバとデータドライバを含む。表示素子は、列に配列された画素を含む。ゲートドライバは、複数の平行したゲートラインを含み、各ラインは、対応する画素列に接続される。ゲートドライバは、フレーム周期の第１周期の間、画素の第１列と第２列を順次にスキャンし、フレーム周期の第２周期の間、画素の第３列と第４列をスキャンする。画素の第１と第２列は、互いに隣接せず、画素の第３と第４列も互いに隣接しない。データドライバは、複数の平行したデータラインを含み、各データラインは、ゲートラインに直交し、対応する画素行に接続される。データドライバは、第１周期の間、第１極性の信号をスキャンされた画素列に順次に提供し、第２周期の間、第２極性の信号をスキャンされた画素列に順次に提供する。
【発明の効果】
【００１０】
本発明の駆動方法およびその装置によれば、データ信号の極性の切換え回数を減少することができることから、従来のライン反転駆動に比べ、消費電力を削減する。また、サブ周期のスキャンされた画素列が互いに隣接しないことから、従来のＮライン反転方法を用いた時、ちらつきを防ぐことができる。
【発明を実施するための最良の形態】
【００１１】
本発明についての目的、特徴、長所が一層明確に理解されるよう、以下に実施形態を例示し、図面を参照にしながら、詳細に説明する。
【実施例】
【００１２】
図４は、ディスプレイ装置の実施例を表している。図に示すように、ディスプレイ装置４００は、表示素子１０と駆動回路５０を含む。ディスプレイ装置４００では、駆動回路５０に選択的に接続される表示素子１０がＬＣＤ素子である。表示素子１０は、マトリクス形式に配列された複数の画素１００を含む。その他の実施例では、表示素子１０は、例えば、プラズマディスプレイ素子、有機発光ディスプレイ素子、または陰極線管表示素子であることができる。
【００１３】
図４に示すように、駆動回路５０は、Ｘ列とＹ行に形成されたＬＣＤ装置の画素１００のマトリクスを駆動し、ＸとＹは、整数である。駆動回路５０は、データドライバ２０、ゲートドライバ３０と、コントローラ４０を含む。データドライバ２０は、複数の並列したデータラインＤ１〜Ｄｙを含む。各データラインＤ１〜Ｄｙは、画素１００の対応する行に接続される。例えば、各画素１００は、対応するデータラインに接続された第１端子、対応するスキャンラインに接続された制御端子、液晶素子Ｃｌｃの第１端子に接続された第２端子と、蓄積コンデンサＣｓを有するスイッチングトランジスタ１０１を含むことができる。液晶素子Ｃｌｃの第２端子は、共通電圧ＶＣＯＭに接続され、蓄積コンデンサの第２端子は、接地電圧に接続される。
【００１４】
ゲートドライバ３０は、複数の平行したゲートラインＧ１〜Ｇｘを含み、それぞれデータラインＤ１〜Ｄｙに直交する。各ゲートラインＧ１〜Ｇｘは、対応する画素１００の列に接続される。コントローラ４０は、ゲートドライバ３０のスキャンと、データドライバ２０の信号供給を制御する。例えば、コントローラはタイミングコントローラであることができる。
【００１５】
この実施例では、ゲートドライバ３０は、画素の第１列と第２列を順次にスキャンし、データドライバ２０は、フレーム周期の第１周期の間、第１極性の信号をスキャンされた（第１と第２）画素列に順次に提供する。ゲートドライバ３０は、画素の第３列と第４列を順次にスキャンし、データドライバ２０は、フレーム周期の第２周期の間、第２極性の信号をスキャンされた（第３と第４）画素列に順次に提供する。この実施例では、フレーム周期は、少なくとも１つの第１周期と、少なくとも１つの第２周期を含み、画素の第１と第２列は、互いに隣接せず、画素の第３と第４列も互いに隣接しない。
【００１６】
いくつかの実施例では、ゲートドライバ３０は、画素のＮthと（Ｎ＋Ｋ）th列を順次にスキャンし、データドライバ２０は、フレーム周期の第１周期の間、第１極性の信号をスキャンされた画素のＮthと（Ｎ＋Ｋ）th列に順次に提供する。フレーム周期の第２周期の間、ゲートドライバ３０は、画素の（Ｎ＋１）thと（Ｎ＋Ｋ＋１）th列を順次スキャンし、データドライバ２０は、第２極性の信号をスキャンされた画素の（Ｎ＋１）thと（Ｎ＋Ｋ＋１）th列に順次に提供する。ＮとＫは、両方とも整数であり、Ｎは、０より大きく、Ｋは、１より大きい偶数である。
【００１７】
駆動方法の実施例１
図５Ａは、ディスプレイ装置の駆動方法の実施例１を表しているタイミング図である。図に示すように、１つのフレーム周期は、周期ＰＤ１、ＰＤ２、ＰＤ３、ＰＤ４、．．．、ＰＤｎ−１と、ＰＤｎを含む。この実施例では、Ｎは１〜ｎで、Ｋは２であるが、これを限定するものではない。
【００１８】
周期ＰＤ１の間、ゲートドライバ３０は、ゲートラインＧ１とＧ３を順次にスキャンし、データドライバ２０は、第１極性のデータ信号ＤＳをスキャンされた画素列に順次に提供する。例えば、共通電圧ＶＣＯＭが正電圧レベルに保持された場合、第１極性は、周期ＰＤ１の間、共通電圧ＶＣＯＭに対して負電圧レベルである。
【００１９】
周期ＰＤ２の間、ゲートドライバ３０は、ゲートラインＧ２とＧ４を順次にスキャンし、データドライバ２０は、第２極性のデータ信号ＤＳをスキャンされた画素列に順次に提供する。例えば、共通電圧ＶＣＯＭが負電圧レベルに保持された場合、第２極性は、周期ＰＤ２の間、共通電圧ＶＣＯＭに対して正電圧レベルである。
【００２０】
周期ＰＤ３の間、ゲートドライバ３０は、ゲートラインＧ５とＧ７を順次にスキャンし、データドライバ２０は、第１極性のデータ信号ＤＳをスキャンされた画素列に順次に提供する。周期ＰＤｎの間、ゲートドライバ３０は、ゲートラインＧｘ−２とＧｘを順次にスキャンし、データドライバ２０は、第２極性のデータ信号ＤＳをスキャンされた画素列に順次に提供する。
【００２１】
駆動方法の実施例２
図５Ｂは、ディスプレイ装置の駆動方法の実施例２を表しているタイミング図である。図に示すように、フレーム周期は、周期ＰＤ１、ＰＤ２、ＰＤ３、ＰＤ４、．．．、ＰＤｎ−１と、ＰＤｎを含む。この実施例では、Ｎは１〜ｎで、Ｋは４であるが、これを限定するものではない。
【００２２】
周期ＰＤ１の間、ゲートドライバ３０は、ゲートラインＧ１とＧ５を順次にスキャンし、データドライバ２０は、第１極性のデータ信号ＤＳをスキャンされた画素列に順次に提供する。
【００２３】
周期ＰＤ２の間、ゲートドライバ３０は、ゲートラインＧ２とＧ６を順次にスキャンし、データドライバ２０は、第２極性のデータ信号ＤＳをスキャンされた画素列に順次に提供する。
【００２４】
周期ＰＤ３の間、ゲートドライバ３０は、ゲートラインＧ３とＧ７を順次にスキャンし、データドライバ２０は、第１極性のデータ信号ＤＳをスキャンされた画素列に順次に提供する。
【００２５】
周期ＰＤ４の間、ゲートドライバ３０は、ゲートラインＧ４とＧ８を順次にスキャンし、データドライバ２０は、第２極性のデータ信号ＤＳをスキャンされた画素列に順次に提供する。周期ＰＤｎの間、ゲートドライバ３０は、ゲートラインＧｘ−４とＧｘを順次にスキャンし、データドライバ２０は、第２極性のデータ信号ＤＳをスキャンされた画素列に順次に提供する。
【００２６】
他の実施例では、ゲートドライバ３０は、画素のＮthと（Ｎ＋Ｋ）thと、（Ｎ＋２Ｋ）th列を順次にスキャンし、データドライバ２０は、フレーム周期の第１周期の間、第１極性の信号をスキャンされた画素列に順次に提供する。フレーム周期の第２周期の間、ゲートドライバ３０は、画素の（Ｎ＋１）th、（Ｎ＋Ｋ＋１）thと、（Ｎ＋２Ｋ＋１）th列を順次にスキャンし、データドライバ２０は、第２極性の信号をスキャンされた画素列に順次に提供し、ＮとＫは、両方とも整数である。Ｎは、０より大きく、Ｋは、１より大きい偶数である。
【００２７】
駆動方法の実施例３
図５Ｃは、ディスプレイ装置の駆動方法の実施例３を表しているタイミング図である。図に示すように、１つのフレーム周期は、周期ＰＤ１、ＰＤ２、ＰＤ３、ＰＤ４と、．．．、ＰＤｎを含む。この実施例では、Ｎは１〜ｎで、Ｋは２であるが、これを限定するものではない。
【００２８】
周期ＰＤ１の間、ゲートドライバ３０は、ゲートラインＧ１、Ｇ３と、Ｇ５を順次にスキャンし、データドライバ２０は、第１極性のデータ信号ＤＳをスキャンされた画素列に順次に提供する。周期ＰＤ２の間、ゲートドライバ３０は、ゲートラインＧ２、Ｇ４と、Ｇ６を順次にスキャンし、データドライバ２０は、第２極性のデータ信号ＤＳをスキャンされた画素列に順次に提供する。
【００２９】
周期ＰＤ３の間、ゲートドライバ３０は、ゲートラインＧ７、Ｇ９と、Ｇ１１を順次にスキャンし、データドライバ２０は、第１極性のデータ信号ＤＳをスキャンされた画素列に順次に提供する。周期ＰＤ４の間、ゲートドライバ３０は、ゲートラインＧ８、Ｇ１０と、Ｇ１２を順次にスキャンし、データドライバ２０は、第２極性のデータ信号ＤＳをスキャンされた画素列に順次に提供する。周期ＰＤｎの間、ゲートドライバ３０は、ゲートラインＧｘ−４、Ｇｘ−２と、Ｇｘを順次にスキャンし、データドライバ２０は、第２極性のデータ信号ＤＳをスキャンされた画素列に順次に提供する。
【００３０】
また、Ｎは１〜ｎで、Ｋは４であることができる。周期ＰＤ１の間、ゲートドライバ３０は、ゲートラインＧ１、Ｇ５と、Ｇ９を順次にスキャンし、データドライバ２０は、第１極性のデータ信号ＤＳをスキャンされた画素列に順次に提供する。周期ＰＤ２の間、ゲートドライバ３０は、ゲートラインＧ２、Ｇ６と、Ｇ１０を順次にスキャンし、データドライバ２０は、第２極性のデータ信号ＤＳをスキャンされた画素列に順次に提供する。周期ＰＤ３の間、ゲートドライバ３０は、ゲートラインＧ３、Ｇ７と、Ｇ１１を順次にスキャンし、データドライバ２０は、第１極性のデータ信号ＤＳをスキャンされた画素列に順次に提供する。周期ＰＤ４の間、ゲートドライバ３０は、ゲートラインＧ４、Ｇ８と、Ｇ１２を順次にスキャンし、データドライバ２０は、第２極性のデータ信号ＤＳをスキャンされた画素列に順次に提供する。
【００３１】
駆動方法の実施例４
図５Ｄは、ディスプレイ装置の駆動方法の実施例４を表しているタイミング図である。図に示すように、１つのフレーム周期は、周期ＰＤ１とＰＤ２を含む。
【００３２】
周期ＰＤ１の間、ゲートドライバ３０は、奇数ゲートラインＧ１、Ｇ３、．．．Ｇｘ−１を順次にスキャンし、データドライバ２０は、第１極性のデータ信号ＤＳをスキャンされた画素列に順次に提供する。例えば、共通電圧ＶＣＯＭが正電圧レベルに保持された場合、第１極性は、周期ＰＤ１の間、共通電圧ＶＣＯＭに対して負電圧レベルとなる。
【００３３】
周期ＰＤ２の間、ゲートドライバ３０は、偶数ゲートラインＧ２とＧ４、．．．Ｇｘを順次にスキャンし、データドライバ２０は、第２極性のデータ信号ＤＳをスキャンされた画素列に順次に提供する。例えば、共通電圧ＶＣＯＭが負電圧レベルに保持された場合、第２極性は、周期ＰＤ２の間、共通電圧ＶＣＯＭに対して正電圧レベルとなる。
【００３４】
フレーム周期の１つのサブ周期（ｓｕｂ−ｐｅｒｉｏｄ）で少なくとも２つのスキャンラインをスキャンし、同じ極性のデータ信号をスキャンされた画素列に順次に提供することで、データ信号の極性の切換え回数が減少されることができる。よって、図３Ａに示す従来のライン反転駆動に比べ、低消費電力を示すことができる。
【００３５】
また、サブ周期のスキャンされた画素列が互いに隣接しないことから、図３Ｂに示す従来のＮライン反転方法を用いた時、ちらつきを防ぐことができる。
【００３６】
図６は、ディスプレイ装置の実施例を取り入れた電子装置５００の実施例を表している。ディスプレイ装置は、液晶ディスプレイシステム、有機発光ディスプレイシステム、または電界放出ディスプレイ（ＦＥＤ）システムであることができるがこれを限定するものではない。電子装置５００は、例えばＰＤＡ、ノート型パソコン、携帯用コンピュータ、携帯電話、またはディスプレイモニタ装置などの持ち運び可能な装置であることができる。通常、電子装置５００は、ハウジング５１０、例えば、図４に示すディスプレイ装置などのディスプレイ装置と、ＤＣ／ＤＣコンバータ５２０を含む。また、ＤＣ／ＤＣコンバータ５２０は、ディスプレイ装置に選択可能に接続され、出力電圧を提供してディスプレイ装置に供給し、画像を表示する。
【００３７】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００３８】
【図１】従来のＬＣＤパネル回路の一部の概略図である。
【図２Ａ】従来のライン反転を用いた表示ユニットによって受けられたデータ信号の極性の概略図である。
【図２Ｂ】従来のＮライン反転を用いた表示ユニットによって受けられたデータ信号の極性の概略図である。
【図３Ａ】従来のライン反転を用いた図２Ａの回路のタイミング図である。
【図３Ｂ】従来のＮライン反転を用いた図２Ｂの回路のタイミング図である。
【図４】ディスプレイ装置の実施例を表している。
【図５Ａ】ディスプレイ装置の駆動方法の実施例１を表しているタイミング図である。
【図５Ｂ】ディスプレイ装置の駆動方法の実施例２を表しているタイミング図である。
【図５Ｃ】ディスプレイ装置の駆動方法の実施例３を表しているタイミング図である。
【図５Ｄ】ディスプレイ装置の駆動方法の実施例４を表しているタイミング図である。
【図６】ディスプレイ装置の実施例を取り入れた電子装置の実施例を表している。
【符号の説明】
【００３９】
１０  表示素子
２０  データドライバ
３０  ゲートドライバ
４０  コントローラ
５０  駆動回路
１００  画素
１０１  スイッチングトランジスタ
４００  ディスプレイ装置
５００  電子装置
５１０  ハウジング
５２０  ＤＣ／ＤＣコンバータ
Ｄｎ−１データライン
Ｄｎ  データライン
Ｄｎ＋１  データライン
Ｄ１〜Ｄｙ  データライン
Ｇｍ−１  スキャンライン
Ｇｍ  スキャンライン
Ｇｍ＋１  スキャンライン
Ｇ１〜Ｇｘ  スキャンライン
ＰＬ、１００  表示ユニット
Ｃｌｃ  液晶素子
Ｃｓ  蓄積コンデンサ
ＰＤｎ  周期
ＤＳ  データ信号
ＶＣＯＭ  共通電圧
【図１】
2007086744.tif 000003
【図２Ａ】
2007086744.tif 000004
【図２Ｂ】
2007086744.tif 000005
【図３Ａ】
2007086744.tif 000006
【図３Ｂ】
2007086744.tif 000007
【図４】
2007086744.tif 000008
【図５Ａ】
2007086744.tif 000009
【図５Ｂ】
2007086744.tif 000010
【図５Ｃ】
2007086744.tif 000011
【図５Ｄ】
2007086744.tif 000012
【図６】
2007086744.tif 000013